(57)【要約】【課題】従来の麻酔銃、催涙弾、捕獲ネット等に比べて、使用が比較的容易であり、副作用（実施者への影響、対象物への物理的影響）が極めて少ない哺乳類、鳥類、爬虫類の捕獲用組成物および該組成物を充填した捕獲用装置を提供すること。【解決手段】少なくとも１種の高分子化合物および噴射剤を必須成分として含み、哺乳類、鳥類、爬虫類に噴射することにより、付着および／または被覆し、行動抑制および／または感覚機能を一時的に低下させることを特徴とする哺乳類、鳥類、爬虫類の捕獲用組成物および該組成物を噴射装置に充填した哺乳類、鳥類、爬虫類の捕獲用装置。【選択図】      なし【特許請求の範囲】
【請求項１】
少なくとも１種の高分子化合物および噴射剤を必須成分として含み、哺乳類、鳥類、爬虫類に噴射することにより、付着および／または被覆し、行動抑制および／または感覚機能を一時的に低下させることを特徴とする哺乳類、鳥類、爬虫類の捕獲用組成物。
【請求項２】
発泡調節剤、界面活性剤、難燃剤のうち少なくとも１種を含む請求項１記載の組成物。
【請求項３】
着色剤、異臭剤、刺激性ガス、催眠剤、発音剤のうち少なくとも１種をさらに含む請求項１または２記載の組成物。
【請求項４】
少なくとも１種の高分子化合物および噴射剤を必須成分として含み、哺乳類、鳥類、爬虫類に噴射することにより、付着および／または被覆し、行動抑制および／または感覚機能を一時的に低下させることを特徴とする哺乳類、鳥類、爬虫類の捕獲用組成物を噴射装置に充填した哺乳類、鳥類、爬虫類の捕獲用装置。
【請求項５】
捕獲用組成物を噴射したときの噴射距離が１〜１０ｍであることを特徴とする請求項４記載の捕獲用装置。
【請求項６】
単位時間あたりの捕獲用組成物噴射量が３ｇ／ｓｅｃ以上であることを特徴とする請求項４または５記載の捕獲用装置。
【請求項７】
前記組成物が発泡調節剤、界面活性剤、難燃剤のうち少なくとも１種を含む請求項４〜６のいずれか１項記載の捕獲用装置。
【請求項８】
前記組成物が着色剤、異臭剤、刺激性ガス、催眠剤、発音剤のうち少なくとも１種をさらに含む請求項４〜７のいずれか１項記載の捕獲用装置。
【請求項９】
少なくとも１種の高分子化合物および噴射剤を必須成分として含む組成物を、哺乳類、鳥類、爬虫類に噴射することにより、付着および／または被覆し、行動抑制および／または感覚機能を一時的に低下させることを特徴とする哺乳類、鳥類、爬虫類の捕獲方法。
【請求項１０】
前記組成物が発泡調節剤、界面活性剤、難燃剤のうち少なくとも１種を含む請求項９記載の捕獲方法。
【請求項１１】
前記組成物が着色剤、異臭剤、刺激性ガス、催眠剤、発音剤のうち少なくとも１種をさらに含む請求項９または１０記載の捕獲方法。
【発明の詳細な説明】
【０００１】
【発明の属する技術分野】
本発明は、哺乳類、鳥類、爬虫類の捕獲用組成物、捕獲用装置、および捕獲方法に関する。
【０００２】
【従来の技術】
従来有害動物の捕獲や強盗犯、窃盗犯などの犯罪者の制圧用として、麻酔銃、催涙弾、捕獲ネット等が使用されている。
催涙弾の例として、特許文献１には、着色薬、催眠薬、等を散布する目的で、用意された散布薬室に散布に適する時間を設定する延時用導火線と起爆剤を設け、その散布薬室を発射せしむる発射薬を収容する発射薬室に点火玉による電気式発火部を設け、散布薬室と発射薬室を同じ容器内に一括装置し、点火玉による電気式発火部のフィラメント端部に、別に定める発射装置に装着が容易に行なえる接続端子を取り付け、全体をカートリッジ化したカートリッジ弾が開示されている。
催涙弾の他の例として、特許文献２には、複数の部分から成る閉じた環状リングの構造体であって環状リングの内空部に催涙薬等の装填剤を充填し、衝突時に容易に変形可能であって比較的広範囲にわたって散乱するような弾性的または弾力的に崩壊可能な材料から成っていることを特徴とする致命傷を与えない発射飛翔体が開示されている。
化学薬剤の噴射装置の例として、特許文献３には、一端に基部を有し他端に光反射器を有する円筒形電池ケースを有する型の懐中電灯に取り付ける暴徒抑制用の附属器具において、懐中電灯に平行に延びる導管を有し、エアゾールかんからの化学薬剤を、懐中電灯が照射している点と同じ点に向けて発射し得るように構成された懐中電灯兼化学薬剤発射器が開示されている。
催涙弾等を発射する銃の例として、特許文献４には、催涙弾、消化弾、着色弾等の低発射圧化工品弾薬を使用し、その弾薬の発射圧力を利用して弾丸を発射する吹き戻し式半自動銃が開示されている。
犯人の行動の自由を奪うことを目的とした装置として、特許文献５には、発泡スチロール製の２つのカップの先端を抱き合わせてその外周を粘着テープにて巻き付けて砲弾型の容器を形成し、その頭部に入り口を設けて大小無数のガラス玉を充填し、蓋で入り口を密閉した砲弾型防犯用散弾が開示されている。これは、銀行等に侵入した賊に対して投げ付けて賊の周辺にガラス玉を散乱させることによって賊の行動の自由を失わせることを目的としている。
また、犯人の行動の自由を奪うことを目的とした別の装置として、特許文献６には、スプリング数体を分割して、交差接続材を介して連係させた、前記スプリングを一対に接続部材を介して重ねたことを特徴とする自力飛行包接スプリングが開示されている。
逃亡犯人の追跡や逮捕のために利用する着色剤組成物の例として、特許文献７には、染着アクリル樹脂エマルジョン、バインダー、安定剤および水を含有することを特徴とする、着色剤組成物が開示されている。また、特許文献８には、重量基準でスチレンアクリロニトリル系塗料１５〜６５部と、多価アルコールからなる氷点降下剤５〜５０部と、溶媒１０〜５０部とを含む防犯噴射用塗料が開示されている。
さらに、このような着色剤を噴射する装置としても種々の装置が提案されている（特許文献９〜１１）。
犯人を特定するために異臭物質を含有する特殊インキを噴射する容器において、異臭物質としてピラジンなど窒素を含む複素環式化合物を用いることも提案されている（特許文献１２）。
しかしながら、強盗犯、窃盗犯、暴徒等を鎮圧、制圧ないしは抑制することを目的とする上記先行技術文献に開示されている装置は、その使用に高度の技術を要するのみならず、使用者が催涙ガスに暴露することがあったり、また対象物への物理的損傷をもたらす等の問題点があった。まあた、装置自体が大型であったり、高価になる場合もあり、設備上やコストの点で問題点が残されていた。
【０００３】
他方、虫類の防除や害虫駆除に関する技術分野においては、殺虫剤を使用することなく、虫類を捕獲するための組成物および捕獲方法が提案されている。
特許文献１３には、ジメチルエーテルおよびこれに可溶の樹脂を主成分とした虫類の捕獲用組成物並びにこれを虫類に噴射し、該組成物を虫類に付着させ、該組成物の表面に樹脂膜を生成させる一方、該樹脂膜内においてジメチルエーテルを徐々に気化させ、これが充満した状態を所定の時間保持することにより、虫類を麻痺或いは致死させることを特徴とする虫類の捕獲方法が開示されている。
また、特許文献１４には、虫類に噴射することにより該虫類を捕獲・殺虫するための組成物がエアゾール容器等の容器に充填され、該容器から外部に噴出されることにより虫類が被覆される繭状体を形成することを特徴とする虫類捕獲用組成物が開示されている。
【０００４】
【特許文献１】
特開昭４８−４７２００号公報
【特許文献２】
特開昭５２−２２４００号公報
【特許文献３】
特開昭４８−７４６１０号公報
【特許文献４】
特開昭４８−１０２５００号公報
【特許文献５】
特開昭５７−１０１３００号公報
【特許文献６】
特開平４−１６９７９６号公報
【特許文献７】
特開平６−１５８０２０号公報
【特許文献８】
特開２００２−９７４０３号公報
【特許文献９】
特開平７−２００９５６号公報
【特許文献１０】
特開平９−７０７７号公報
【特許文献１１】
特開２０００−１３２７５７号公報
【特許文献１２】
特開２０００−９３２２４号公報
【特許文献１３】
特開平１１−１８７８０１号公報
【特許文献１４】
特開２００３−１４６８１９号公報
【０００５】
なお、上記のように、樹脂を含む組成物を虫類に噴射することにより虫類を樹脂により被覆して捕獲する虫類捕獲用組成物が提案されているが、これらの組成物は最終的に殺虫を目的とするものである。
これまでに、哺乳類、鳥類、爬虫類に噴射することにより、付着および／または被覆し、行動抑制および／または感覚機能を一時的に低下させることを特徴とする哺乳類、鳥類、爬虫類の捕獲用組成物については全く提案がなされていなかった。
【０００６】
【発明が解決すべき課題】
本発明者らは、従来技術とは全く異なる観点から、哺乳類、鳥類、爬虫類の捕獲用組成物について鋭意研究開発を重ね、催眠薬や催涙薬、その他の化学薬剤や殺虫薬剤を用いることなく、哺乳類、鳥類、爬虫類に噴射することにより、付着および／または被覆し、行動抑制および／または感覚機能を一時的に低下させることができる捕獲用組成物を得ることができた。すなわち、意外なことに、少なくとも１種の高分子化合物および噴射剤を必須成分として含む組成物が、哺乳類、鳥類、爬虫類に噴射することにより、付着および／または被覆し、行動抑制および／または感覚機能を一時的に低下させることができることを見いだし、この知見に基づいて本発明を完成した。
【０００７】
【課題を解決するための手段】
すなわち、本発明は、少なくとも１種の高分子化合物および噴射剤を必須成分として含み、哺乳類、鳥類、爬虫類に噴射することにより、付着および／または被覆し、行動抑制および／または感覚機能を一時的に低下させることを特徴とする哺乳類、鳥類、爬虫類の捕獲用組成物を提供する。
また、本発明は、少なくとも１種の高分子化合物および噴射剤を必須成分として含み、哺乳類、鳥類、爬虫類に噴射することにより、付着および／または被覆し、行動抑制および／または感覚機能を一時的に低下させることを特徴とする哺乳類、鳥類、爬虫類の捕獲用組成物を噴射装置に充填した哺乳類、鳥類、爬虫類の捕獲用装置を提供する。
さらに、本発明は、少なくとも１種の高分子化合物および噴射剤を必須成分として含む組成物を、哺乳類、鳥類、爬虫類に噴射することにより、付着および／または被覆し、行動抑制および／または感覚機能を一時的に低下させることを特徴とする哺乳類、鳥類、爬虫類の捕獲方法を提供する。
本発明によれば、極めて簡便な装置と手段により、捕獲することができる。
【０００８】
【発明の実施の形態】
本発明において、「哺乳類、鳥類、爬虫類」とは生物学上の分類に従う。具体的な対象としては、例えば、強盗犯、窃盗犯、暴徒等、カラスやドバトなどの有害鳥類、ワニ、ヘビ、トカゲ等の爬虫類、ネズミ等の有害動物が挙げられる。
【０００９】
本発明において、「付着」とは、哺乳類、鳥類、爬虫類の体の特定の部分またはその一部、例えば、頭部、顔面部、手足などへ付着することを意味する。本発明において、「被覆」とは、哺乳類、鳥類、爬虫類の体のすべてを包み込むか、或いは哺乳類、鳥類、爬虫類の体の大部分を覆うことを意味する。
【００１０】
本発明において、「高分子化合物」とは、粘着性樹脂または非粘着性樹脂を意味する。どちらを用いてもよいが、使用後の廃棄処理が比較的容易な非粘着性樹脂を用いるのが好ましい。非粘着性樹脂としては、例えば、ブチラール樹脂、アクリル樹脂（例えば、ポリメタクリレート（メタクリル樹脂））、ポリスチレン等が挙げられる。ポリメタクリレートの中には、メチルエステル、プロピルエステル、エチルエステル、ブチルエステル等がある。また、ポリメタクリレートとポリエステルとの共重合体やメタクリル酸メチルとメタクリル酸ブチルとの共重合体を用いることもできる。エアゾール等の容器に充填する場合には噴射剤として汎用される液化ガスに溶解する樹脂を用いるのが好適である。さらに、これらの樹脂にポリエチレン等を適宜配合することも可能である。
【００１１】
本発明において、「噴射剤」とは、エアゾール製品等においてその内容物を噴出させる力となっている液化ガスあるいは圧縮ガスのことである。液化ガスはさらに液化石油ガス（例えば、ＬＰＧ、イソペンタン）、エーテル（例えば、ジメチルエーテル）およびフロロカーボン（例えば、フロロカーボン、クロロフロロカーボン、ブロモクロロフロロカーボン）に分類される。また、圧縮ガスとしては、例えば、窒素、炭酸ガスの単体または混合ガス、圧縮空気、亜酸化窒素などが挙げられる。本発明においては、これらの噴射剤を１種または２種以上組み合わせて用いることができる。
本発明において、「必須成分として含む」とは、必須成分が混合あるいは溶解している場合だけでなく、例えば、各必須成分が捕獲装置内に別個に収納されており噴射などの操作の過程でそのような状態となる場合をも意味する。
【００１２】
本発明の組成物は、上記高分子化合物および噴射剤以外に、発泡調節剤（発泡助剤）、界面活性剤、難燃剤のうち少なくとも１種を含むことができる。発泡調節剤（発泡助剤）としては、例えば、流動パラフィンやイソパラフィンが挙げられる。界面活性剤としては、例えば、ソルビタンモノオレート、ポリオキシエチレンアルキルエーテル、ポリオキシエチレンオレイン酸エステル、ＰＯＥＰＯＰブロックポリマー、ＰＯＥソルビタンモノオレートなどが挙げられる。界面活性剤を添加することにより、組成物の剥離性が付与される。難燃剤としては、例えば、トリス（２，３−ジブロモプロピル）イソシアヌレート、オクチルジフェニルホスフェート、塩化パラフィン、臭化ビニル、トリブトキシエチルホスフェート等が挙げられ、これらの中から選択される１種または２種以上の組み合わせを用いることができる。難燃剤を添加することにより、火気のある場所付近で本発明の組成物を使用した場合に、引火しにくく、万一引火した場合でも噴射物は速やかに消炎する。
【００１３】
さらに、本発明の組成物は、着色剤、異臭剤、刺激性ガス、催眠剤、発音剤のうち少なくとも１種をさらに含むことができる。着色剤を加えることにより、本発明の組成物を強盗犯や窃盗犯などの犯人や動物に発射した場合に、犯人や動物に対して容易に印を付けることができる。本発明において使用する着色剤の種類は特に限定されないが、一度付着したら落ちにくい着色剤（例えば、リアクティブブリリアントレッドＧ、ローダミンＢ）が好ましい。異臭剤を添加すれば、悪臭を発するため、捕獲対象の逃走意欲や反撃意欲を低減・消失さあせたり、あるいは警察犬の助けを借りて犯人を捜査することが可能になる。本発明において使用する異臭剤の種類は特に限定されないが、例えば、イソオクテン、イソ吉草酸イソアミル、イソ吉草酸エチル等が上げられ、これらを単独若しくは組み合わせて用いる。さらに、刺激性ガス、催眠剤、発音剤等を添加した本発明の組成物を発射すれば、犯人、暴徒、有害動物は一瞬不動、若しくは麻痺状態になり、逮捕あるいは捕獲が行いやすくなる。ここに言う発音剤とは必ずしも組成物である必要はなく、使用時に音が出る目的を達するものであればよく、装置等の工夫により発音するものも含む。
【００１４】
本発明の組成物に用いる高分子化合物、噴射剤、発泡調節剤（発泡助剤）、界面活性剤、難燃剤、発泡調節剤（発泡助剤）、界面活性剤、難燃剤、着色剤、異臭剤、刺激性ガス、催眠剤、発音剤等の配合割合は、使用する薬剤の組み合わせと捕獲の目的に応じて適宜設定すればよく、使用割合は特に限定されない。
【００１５】
本発明の捕獲装置としては、例えば、エアゾール殺虫剤に使用される種々のエアゾール装置、消化器タイプの噴射機、フーリガン鎮圧用装置等が挙げられるが特に限定されない。対象となる動物の種類や大きさに応じて適宜選択することができる。また、噴射物は直線的に噴射するものや散弾的に噴射するものも適宜選択できる。
本発明の捕獲用装置を用いて本発明の捕獲用組成物を噴射したときの噴射距離は特に限定されないが、例えば、１〜１０ｍである。また、単位時間あたりの捕獲用組成物の噴射量は使用する対象、使用条件等に応じて適宜設定することができるが、例えば、噴射量は３ｇ／ｓｅｃ以上である。
【００１６】
【実施例】
以下に本発明を実施例によりさらに詳しく説明するが、本発明はこれらの実施例には限定されない。
【実施例１】
下記に示す処方１からなる組成物をそれぞれ調製し、エアゾール容器に充填した。
【表１】
2005006589.tif 000002
【００１７】
【実施例２】
上記処方１を含む組成物を含むエアゾール容器を人の顔を模倣した標的から３ｍ程度離れた所から標的に向けて噴射したところ、約３秒で全てを被覆し容易に剥離できなかった。
【００１８】
【発明の効果】
本発明の組成物を含む捕獲装置は、従来の麻酔銃、催涙弾、捕獲ネット等に比べて、簡便な操作で取り扱うことができる上に、実施者への悪影響、対象物の損壊などの物理的影響が極めて少ない。また、簡易捕獲用としてエアゾール充填品を顔や手足などに向けて使用することにより、視覚や呼吸動作を一時的に不自由にすることも可能となり、極めて有用である。